(57)【要約】【課題】通常時にドアを内開きで使用し、非常時にドアを外開きで使用するのに好適なスライドラッチ錠とする。【解決手段】ラッチ４０のスライドを停止させるロック位置と、ラッチ４０のスライドを許すロック解除位置との間を移動可能に配置されたストッパ８０と、ストッパ８０をロック位置に向けて付勢する弾性部材９０とを備える。ラッチ４０は、ドア１０の室外側及び室内側への開放を阻止する施錠位置と、ドア１０の室内側への開放を許すがドア１０の室外側への開放を阻止する内開き用解錠位置と、ドア１０の室外側への開放を許す外開き用解錠位置との間をスライド可能とする。  ストッパ８０によるラッチ４０のロック位置は、ラッチ４０を内開き用解錠位置に停止させる位置とする。解錠用具Ｋの押し回し操作によってストッパ８０がロック解除位置へ移動させられると共にラッチ４０が外開き用解錠位置へ移動させられる。【選択図】図１
2019206877.tif 000002
【特許請求の範囲】
【請求項１】
ドアの室内側に取り付けられる台座と、
前記台座にスライド可能に支持され、室内側のドア枠に設けられたラッチ受けに対して係脱可能なラッチと、
前記ラッチのスライドを回転軸の回転運動に変換する運動変換機構と、
を備え、
室外側からの解錠用具の操作によって前記回転軸が回転させられるスライドラッチ錠において、
前記ラッチのスライドを停止させるロック位置と、前記ラッチのスライドを許すロック解除位置との間を移動可能に配置されたストッパと、
前記ストッパを前記ロック位置に向けて付勢する弾性部材と、をさらに備え、
前記ラッチが、前記ドアの室外側及び室内側への開放を阻止する施錠位置と、前記ドアの室内側への開放を許すが当該ドアの室外側への開放を阻止する内開き用解錠位置と、前記ドアの室外側への開放を許す外開き用解錠位置との間をスライド可能に設けられており、
前記ロック位置が、前記ラッチを前記内開き用解錠位置に停止させる位置に設定されており、
前記解錠用具の押し回し操作によって前記ストッパが前記ロック解除位置へ移動させられると共に前記ラッチが前記外開き用解錠位置へ移動させられることを特徴とするスライドラッチ錠。
【請求項２】
前記台座が、前記ラッチをスライド方向に案内するガイド溝を有し、
前記ラッチが、前記ガイド溝に案内される噛み合い壁を有し、
前記ストッパが、前記ロック位置にあるときに前記噛み合い壁とスライド方向に対向し、かつ前記ロック解除位置にあるときに前記噛み合い壁の通り道を形成するロック部を有する請求項１に記載のスライドラッチ錠。
【請求項３】
前記ドアの室外側に取り付けられる表示枠をさらに備え、
前記表示枠が、前記回転軸の回転運動に連動する表示部を収容しており、
前記ラッチが前記施錠位置に停止する状態では、前記表示部が前記表示枠の窓に使用表示面を表示し、前記ラッチが前記内開き用解錠位置と前記外開き用解錠位置のいずれに停止する状態でも、前記表示部が前記窓に不使用表示面を表示する請求項１又は２に記載のスライドラッチ錠。
【発明の詳細な説明】
【技術分野】
【０００１】
この発明は、スライドラッチ錠に関する。
【背景技術】
【０００２】
トイレ室、シャワー室等のドアとして、ドアの戸先と反対側でヒンジを介して建物側に吊るされたものがある。この種のドアは、ドアを室内側に開放する内開き、ドアを室外側に開放する外開きの少なくとも一方を行えるように設置される。内開きの場合、室内の人がドアを開いた際、室外の他人にドアが当たる事故を防止することができる。このため、内開きのドアは、不特定多数の使用者が出入りする公衆施設でよく採用されている。
【０００３】
内開きのドアに用いられる錠前として、従来、ドアの室内側に取り付けられる台座と、台座にスライド可能に支持されたラッチと、ドアの戸先と対向する壁部の室内側に取り付けられたラッチ受けとを備えるスライドラッチ錠が採用されている。そのラッチは、ドアを室内側に開放できないようにラッチ受けに係止する施錠位置と、ラッチ受けから脱出してドアを室内側へ開放できる解錠位置との間をスライド可能に設けられている。
【０００４】
中でも、非常解錠機能付きのスライドラッチ錠が普及している。この種のスライドラッチ錠は、ラッチのスライドを回転軸の回転運動に変換する運動変換機構をさらに備え、室外側から用いられる解錠用具からのトルクによって回転軸が回転させられる。このため、室内の人が傷病等でドアを自力開放できないような非常事態が発生したとき、救助者は、解錠用具を用いてラッチを解錠位置までスライドさせることができる（例えば、特許文献１、２）。
【先行技術文献】
【特許文献】
【０００５】
【特許文献１】特開２００５−１２０７６７号公報
【特許文献２】特開２００９−１７４１７６号公報
【発明の概要】
【発明が解決しようとする課題】
【０００６】
しかしながら、非常解錠機能でラッチを解錠位置へスライドさせたとしても、室内の要救助者がドアにもたれかかり、室外の救助者がドアを室内側へ押しても、ドアを内開きさせることができない事態が起こり得る。
【０００７】
この事態に備えるため、ドアを室外側にも開放可能なものとし、通常は、内開きのドアとして使用し、建物側に取り付けた可動式の戸当りによってドアの外開きを規制しておき、救助者がドアを内開きさせることができない非常時には、戸当りを動かしてドア規制を解除し、ドアを外開きさせることが可能なブースの構築が行われているが、そうすると、可動式戸当りの設置コストが負担になってしまう。
【０００８】
そこで、この発明が解決しようとする課題は、通常時にドアを内開きで使用し、非常時にドアを外開きで使用するのに好適なスライドラッチ錠を提供することである。
【課題を解決するための手段】
【０００９】
上述の課題を解決するため、この発明は、ドアの室内側に取り付けられる台座と、前記台座にスライド可能に支持され、室内側のドア枠に設けられたラッチ受けに対して係脱可能なラッチと、前記ラッチのスライドを回転軸の回転運動に変換する運動変換機構と、を備え、室外側からの解錠用具の操作によって前記回転軸が回転させられるスライドラッチ錠において、前記ラッチのスライドを停止させるロック位置と、前記ラッチのスライドを許すロック解除位置との間を移動可能に配置されたストッパと、前記ストッパを前記ロック位置に向けて付勢する弾性部材と、をさらに備え、前記ラッチが、前記ドアの室外側及び室内側への開放を阻止する施錠位置と、前記ドアの室内側への開放を許すが当該ドアの室外側への開放を阻止する内開き用解錠位置と、前記ドアの室外側への開放を許す外開き用解錠位置との間をスライド可能に設けられており、前記ロック位置が、前記ラッチを前記内開き用解錠位置に停止させる位置に設定されており、前記解錠用具の押し回し操作によって前記ストッパが前記ロック解除位置へ移動させられると共に前記ラッチが前記外開き用解錠位置へ移動させられる構成を採用した。
【００１０】
上記構成によれば、通常時、ロック位置のストッパにより、ラッチが外開き用解錠位置までスライドできない状態に規制されるので、ドアを内開きで使用することは可能だが、ラッチによりドアの外開きを規制することができる。非常解錠機能の使用時、解錠用具の押し回し操作により、ラッチを外開き用解錠位置までスライドさせ、ドアの外開き規制を解除することができる。このため、通常時にドアの外開きを規制するための戸当りが不要になる。
【００１１】
例えば、前記台座が、前記ラッチをスライド方向に案内するガイド溝を有し、前記ラッチが、前記ガイド溝に案内される噛み合い壁を有し、前記ストッパが、前記ロック位置にあるときに前記噛み合い壁とスライド方向に対向し、かつ前記ロック解除位置にあるときに前記噛み合い壁の通り道を形成するロック部を有することが好ましい。このようにすると、ラッチ案内構造を利用してストッパによるラッチのスライド制限を行うことができる。
【００１２】
また、前記ドアの室外側に取り付けられる表示枠をさらに備え、前記表示枠が、前記回転軸の回転運動に連動する表示部を収容しており、前記ラッチが前記施錠位置に停止する状態では、前記表示部が前記表示枠の窓に前記使用表示面を表示し、前記ラッチが前記内開き用解錠位置と前記外開き用解錠位置のいずれに停止する状態でも、前記表示部が前記窓に前記不使用表示面を表示することが好ましい。このようにすると、常閉型のドアに使用される場合でも、施錠中か否かを室外に表示することができる。
【発明の効果】
【００１３】
上述のように、この発明は、上記構成の採用により、ラッチのスライド規制でドアを内開きに制限しつつラッチでドアの外開き規制して戸当りを不要にするものなので、通常時にドアを内開きで使用し、非常時にドアを外開きで使用するのに好適なスライドラッチ錠を提供することができる。
【図面の簡単な説明】
【００１４】
【図１】この発明の実施形態に係るスライドラッチ錠の使用状態を示す縦断正面図
【図２】図１のラッチ受けを室内側から示す平面図
【図３】図１のスライドラッチ錠のドア側構成要素を示す右側面図
【図４】図１の表示枠を示す底面図
【図５】図１の内開き用解錠位置のラッチとロック位置のストッパを示す底面図
【図６】図１の台座とロック位置のストッパを示す正面図
【図７】図１の外開き用解錠位置のラッチとロック解除位置のストッパを示す底面図
【図８】図１の台座とロック解除位置のストッパを示す断面図
【図９】図１の台座とロック解除位置のストッパを示す正面図
【発明を実施するための形態】
【００１５】
この発明の実施形態を添付図面に基づいて説明する。
【００１６】
図１に示すスライドラッチ錠は、ドア１０の室内側に取り付けられる台座２０と、室内側のドア枠３０に設けられたラッチ受け３１と、台座２０にスライド可能に支持された状態でラッチ受け３１に係脱可能なラッチ４０と、ラッチ４０のスライドを回転軸５０の回転運動に変換する運動変換機構と、ドア１０の室外側に取り付けられる表示枠６０と、を備える非常解錠機能付きかつ表示機能付きのものである。なお、以下では、回転軸５０の回転軸線に沿った方向のことを「軸方向」といい、その軸方向に対して直角な方向のことを「径方向」という。
【００１７】
ドア１０は、ドア１０の戸先１１と反対側でヒンジ（図示省略）を介して建物側に吊るされている。ドア１０は、ヒンジ回りに矢線Ａ方向に回転して室外側へ開放する外開きと、ヒンジ回りに矢線Ｂ方向に回転して室内側へ開放する内開きのいずれも可能な建て付けになっている。ドア１０は、常閉型と常開型のいずれでもよい。なお、常閉型のドアとは、グレビティヒンジ等の付勢手段によって閉鎖位置に向けて付勢されたドアのことをいう。その閉鎖位置では、ドア１０の戸先１１がドア枠３０と対向し、スライドラッチ錠で施錠することが可能である。常開型のドアとは、前述の付勢手段によってドア１０が開放方向に付勢されたドアのことである。
【００１８】
台座２０は、ドア１０の室内側に接する内ベース２１を有する。表示枠６１は、ドア１０の室外側に接する外ベース６１を有する。ねじ７０を室内側から外ベース６１のねじボス部にねじ込み、内ベース２１と外ベース６１とドア１０を締結することにより、台座２０と表示枠６１がドア１０に取り付けられる。
【００１９】
図１、図２に示すように、ラッチ受け３１は、ドア枠３０の室内側に取り付けられる固定部材からなる。ラッチ受け３１は、ドア枠３０にねじ止めされている。ラッチ受け３１は、中空に突き出た係止面３２を有する。なお、図２においては、ねじの図示を省略した。
【００２０】
図１、図３に示すように、内ベース２１は、ラッチ４０をスライド方向に案内する対のガイド溝２２と、回転軸５０を取り囲む凹部２３とを有する。
【００２１】
凹部２３内には、ストッパ８０と、弾性部材９０とが収容されている。ストッパ８０は、凹部２３と回転軸５０間に収まる環状部品からなる。弾性部材９０は、コイルばねからなる。台座２０は、ストッパ８０及び弾性部材９０を軸方向に受ける押え板２４を有する。押え板２４は、内ベース２１にねじ止めされている。ストッパ８０の軸方向移動は、凹部２３の底面と押え板２４とによって制限され、ストッパ８０の径方向移動は、凹部２３の内周によって制限される。弾性部材９０は、ストッパ８０と凹部２３の底面間に介在する。弾性部材９０の径方向移動は、ストッパ８０の内周によって制限される。
【００２２】
ガイド溝２２は、凹部２３から内ベース２１の右端面まで左右方向に延びている。ラッチ４０のスライド方向は、図１において左右方向である。
【００２３】
ラッチ４０は、図１〜図３に示すように、ラッチカバー４１と、ガイド溝２２に案内される対の噛み合い壁４２とを有する。
【００２４】
ラッチカバー４１は、その台座２０側において左右方向に長く凹み、その左端部において閉塞し、その右端部においてラッチ受け３１と干渉しないように開放した形状になっている。ラッチカバー４１は、ラッチ４０のスライド操作を行う際の把持部になる。
【００２５】
対の噛み合い壁４２は、ラッチカバー４１に取り付けられた固定部材からなる。噛み合い壁４２は、ガイド溝２２内に位置する部分を常に有するように左右方向に長く延びている。
【００２６】
ラッチ４０は、ラッチ受け３１に係止してドア１０の室外側及び室内側への開放を阻止する施錠位置と、ラッチ受け３１から脱出してドア１０の室内側への開放を許すが当該ドア１０とドア枠３０間に跨って当該ドア１０の室外側への開放を阻止する内開き用解錠位置と、ドア１０の室外側への開放を許す外開き用解錠位置との間をスライド可能に設けられている。なお、図１、図２においては、内開き用解錠位置にあるラッチ４０を実線で示し、符号４０´を付して施錠位置にあるラッチの右端部外形を一点鎖線で示し、図１においては、符号４０”を付して外開き用解錠位置にあるラッチの左右端部外形を一点鎖線で示した。
【００２７】
図１、図２に示すように、ラッチ４０が施錠位置にあるとき、噛み合い壁４２の右側端部が係止面３２とドア枠３０との間の空間に入って係合面３２に対面し、ラッチカバー４１がドア枠３０側（ラッチ受け３１やドア枠３０）に対面する状態にある。このとき、ドア１０が室外側へ開放しようとすると、ラッチ４０がラッチ受け３１に当接して当該開放を阻止することが可能であり、また、ドア１０が室内側へ開放しようとすると、噛み合い壁４２が係止面３２に引っ掛かって当該開放を阻止することが可能である。
【００２８】
ラッチ４０が内開き用解錠位置にあるとき、噛み合い壁４２が係止面３２とドア枠３０との間の空間から脱出しているが、ラッチカバー４１がドア枠３０側に対面する状態にある。このとき、ドア１０が室外側へ開放しようとすると、ラッチ４０がドア枠３０側に当接して当該開放を阻止することが可能であるが、ドア１０が室内側へ開放しようとすると、噛み合い壁４２がラッチ受け３１に引っ掛かることができず、当該開放を阻止することが不可能である。
【００２９】
ラッチ４０が外開き用解錠位置にあるとき、ラッチ４０がドア１０の回転半径（図１の矢線Ａ、Ｂを含む円周）よりも内側に位置する。このとき、ドア１０が室外側又は室内側のいずれに開放しようとしても、ラッチ４０がドア枠３０側に引っ掛かることができず、当該開放を阻止することが不可能である。
【００３０】
図１に示す回転軸５０は、室内側のピニオン軸５１の角穴と、室外側の伝達軸５２の角穴とが角棒を介して連結された構造になっている。ピニオン軸５１は、ピニオンギヤ５３が連結されている。ピニオンギヤ５３は、ラッチ４０に取り付けられたラック５４に噛み合う。伝達軸５２には、表示枠６０から露出する非常解錠部５５が連結されている。ピニオン軸５１は、軸方向に内ベース２１とストッパ８０とを貫通し、伝達軸５２は、外ベース６１を軸方向に貫通する。ピニオン軸５１は、内ベース２１の貫通口において回転自在に支持され、伝達軸５２は、外ベース６１の貫通口において回転自在に支持される。ピニオン軸５１、伝達軸５２、ピニオンギヤ５３及び非常解錠部５５は、同一軸線回りに一体回転可能に連結されている。
【００３１】
非常解錠部５５は、図１、図４に示すように、表示枠６１に形成された開口から軸方向に室外側へ露出する部分において、解錠用具Ｋを接続することが可能な凹形状を有する。ドア１０に対して室外側の解錠用具Ｋから非常解錠部５５に与えられる回転操作のトルクによって回転軸５０とピニオン５３とが一体に回転させられる。なお、解錠用具Ｋとして、専用品の鍵を例示したが、専用品にする必要はなく、例えば、硬貨、マイナスドライバ等の汎用品を採用してもよい。
【００３２】
前述の運動変換機構は、ピニオンギヤ５３とラック５４とにより、ラッチ４０のスライドストロークの全域においてラッチ４０の左右方向のスライドを回転軸５０の正逆の回転運動に変換するラックアンドピニオン機構からなる。
【００３３】
表示枠６１は、外ベース６１に被さる表示カバー６２を有する。表示カバー６２は、外ベース６１に取り付けられている。表示枠６１は、回転軸５０の回転運動に連動する表示部６３と、ばね部材９１とを外ベース６１と表示カバー６２との間に収容する。
【００３４】
表示部６３は、伝達軸５２と一体に設けられている。ばね部材９１は、伝達軸５２と外ベース６１との間に介在する。ばね部材９１は、コイルばねからなる。ばね部材９１は、伝達軸５２が軸方向に移動したときに伝達軸５２を移動前の軸方向位置へ復帰させるためのものである。
【００３５】
図４に示すように、表示カバー６２には、表示部６３の一部を透視可能な窓６４が形成されている。表示部６３は、伝達軸５２と同心の円環板状になっている。表示部６３は、窓６４と軸方向に対向する円環状表面領域のうち、半周分に使用表示面６５を有し、残り半周分に不使用表示面６６を有する。使用表示面６５は、例えば、赤色の面、「使用中」の文字表記とされる。不使用表示面６６は、例えば、青色の面、「空き」の文字表示とされる。なお、図４においては、使用表示面６５の領域内に「赤」と文字表記し、不使用表示面６６の領域内に「青」と文字表記し、これらの境界線を破線で示した。
【００３６】
図１に示すストッパ８０は、ラッチ４０のスライドを停止させるロック位置（図５、図６参照）と、ラッチ４０のスライドを許すロック解除位置（図７〜図９参照）との間を移動可能に配置されている。弾性部材９０は、ストッパ８０をロック位置に向けて付勢する。
【００３７】
ストッパ８０は、図１、図５、図６に示すロック位置にあるときに噛み合い壁４２とスライド方向に対向し、かつ図７〜図９に示すロック解除位置にあるときに噛み合い壁４２の通り道８２を形成するロック部８１を有する。
【００３８】
図１、図５、図６に示すように、ロック部８１によるロック位置は、ラッチ４０を内開き用解錠位置に停止させる位置に設定されている。ロック位置のロック部８１は、噛み合い壁４２に切欠き状に形成された凹欠部４３と左右方向に対向する。このため、噛み合い壁４２は、ガイド溝２２よりも左方へ進むことができない。この対向関係は、ラッチが内開き用解錠位置又は施錠位置のいずれにあるときでも成立する。なお、図５においては、ストッパ８０のロック部８１が噛み合い壁４２の凹欠部４３にスライド方向（左方向）に当接して内開き用解錠位置に停止させた様子を実線で示し、ラッチが施錠位置にあるときのストッパの位置を符号８０´を付して一点鎖線で示す。
【００３９】
図７〜図９に示すように、ロック解除位置のロック部８１は、噛み合い壁４２と左右方向に対向しない軸方向位置にあって、内ベース２１との間に通り道８２を形成する。内ベース２１は、ロック部８１に軸方向に対面する片ガイド面２５と、ガイド溝２２の左方延長上に延びる延長ガイド溝２４とを有する。通り道８２は、ロック部８１とガイド面２５とで左右方向に延びる溝状に形成される。通り道８２と、ガイド溝２２と、延長ガイド溝２４とは、左右方向に一連の溝空間を形成する。この一連の溝空間は、噛み合い壁４２が左右方向にスライド自在な移動空間となる。この一連の溝空間が成立するときに限り、図１、図７に示すようにラッチを外開き用解錠位置へスライドさせることが可能な状態になる。なお、図７においては、ラッチが外開き用解錠位置にあるときのストッパ８０の位置を実線と隠れ線で示し、図５の位置のストッパを一点鎖線で示した。
【００４０】
図１、図８に示すように、回転軸５０とストッパ８０は、互いに軸方向に突き合う係合環部５６，８２を有する。ストッパ８０の係合環部８２は、回転軸５０を通す内周の一部分として形成されている。回転軸５０の係合環部５６は、ピニオン軸５１の外周の一部分として形成されている。回転軸５０は、ロック位置とロック解除位置間でのストッパ８０の軸方向移動を許すように台座２０に対して軸方向に移動可能に配置されている。回転軸５０は、運動変換機構の回転部（ピニオンギヤ５３）と室外側の非常解錠部５５との間でトルクの伝達を担い、ストッパ８０との間で軸方向の力の伝達を担う構造であればよい。
【００４１】
すなわち、図１に示すように、非常解錠部５５に対して軸方向に室外側から室内側に向かって外力が与えられていないとき、ストッパ８０はロック位置にあり、ストッパ８０と台座２０（押え板２４）との間に軸方向の隙間がある。一方、その外力が非常解錠部５５に対して与えられることにより、ばね部材９１、弾性部材９０に抗して回転軸５０が軸方向に押し動かされると、係合環部８２において回転軸５０の係合環部５６から軸方向に押されるストッパ８０も軸方向に押し動かされ、最終的には、図８に示すように、ストッパ８０が、押え板２４側に接するロック解除位置まで移動させられる。その外力の付与がなくなると、ばね部材９１、弾性部材９０の弾性反発力により、ストッパ８０、回転軸５０が図１の位置へ復帰させられる。
【００４２】
通常時、非常解錠部５５が押されることはないから、ストッパ８０は、前述のように回転軸５０、弾性部材９０及びばね部材９１を介して軸方向に支持されることにより、台座２０に対してロック位置に維持される（以下、適宜、図１、図４〜図６参照）。このため、ラッチ４０が施錠位置と内開き用解錠位置との間をスライドさせられる。従い、ラッチ４０が内開き用解錠位置から施錠位置まで右方向にスライドさせられることにより、そのスライドが運動変換機構において回転軸５０の回転運動に変換され、回転軸５０と一体の表示部６３の回転運動により、表示枠６０の窓６４に表示される部位が、不使用表示面６６から使用表示面６５に切り替えられる。また、ラッチ４０が施錠位置から内開き用解錠位置まで左方向にスライドさせられることにより、運動変換機構において逆の回転運動に変換され、表示枠６０の窓６４に表示される部位が、使用表示面６５から不使用表示面６６に切り替えられる。ラッチ４０が内開き用解錠位置から外開き用解錠位置に向けてさらに左方向にスライドさせられる場合、ロック位置のストッパ８０のロック部８１とラッチ４０の当接が起こり、ラッチ４０のスライドが停止させられる。従い、ラッチ４０が、外開き用解錠位置までスライドできず、ドア１０とドア枠３０間に跨った内開き用解錠位置に制限される。したがって、ドア１０を内開きで使用することは可能だが、ラッチ４０によりドア１０の外開きを規制することができる。
【００４３】
一方、非常時、救助者が解錠用具Ｋを非常解錠部５５に接続し、解錠用具Ｋの押し回し操作を行うと、その押し力により、回転軸５０を介して弾性部材９０及びばね部材９１が軸方向に圧縮させられ、これに伴い、ストッパ８０がロック位置からロック解除位置に移動させられ、台座２０に対してロック解除位置に維持される（以下、適宜、図１、図４、図７〜図９参照）。このため、ラッチ４０が施錠位置と外開き用解錠位置との間をスライドさせられる際、ロック解除位置にあるストッパ８０のロック部８１と噛み合い壁４２の当接が起こらない。このとき、その解錠用具Ｋの押し回し操作の回転トルクにより、回転軸５０が回転運動させられ、その回転軸５０の回転運動が運動変換機構においてラッチ４０の左方向のスライドに変換される。最終的には、ラッチ４０が施錠位置から外開き用解錠位置まで左方向にスライドさせられる。解除用具Ｋが押し回し操作ができなくなる状態になったとき、ラッチ４０が外開き用解錠位置にある。また、ラッチ４０が施錠位置から外開き用解錠位置までスライドさせられる間に、回転軸５０と一体に回転する表示部６３の回転運動により、表示枠６０の窓６４に表示される部位も切り替えられる。すなわち、ラッチ４０が施錠位置から内開き用解錠位置にスライドさせられる行程において、使用表示面６５から不使用表示面６６に切り替えられ、ラッチ４０が内開き用解錠位置から外開き用解錠位置にスライドさせられる行程において、不使用表示面６６から使用表示面６５に切り替えられた後、再び不使用表示面６６に切り替えられる。救助者は、最初の不使用表示面６６の表示時点でドア１０を内開きできる状態になったことを知り、解除用具Ｋを押し回しできない状態になった後の不使用表示面６６の表示時点でドア１０を外開きできる状態になったことを知ることができる。
【００４４】
このように、このスライドラッチ錠は、通常時、ロック位置のストッパ８０により、ラッチ４０が外開き用解錠位置までスライドできない状態に規制されるので、ドア１０を内開きで使用することは可能だが、ラッチ４０によりドア１０の外開きを規制することができる。また、このスライドラッチ錠は、非常解錠機能の使用時、解錠用具Ｋの押し回し操作により、ラッチ４０を外開き用解錠位置までスライドさせ、ドア１０の外開き規制を解除することができる。このため、通常時にドア１０の外開きを規制するための戸当りが不要になる。したがって、このスライドラッチ錠は、通常時にドア１０を内開きで使用し、非常時にドア１０を外開きで使用するのに好適なものとして提供することができる。
【００４５】
また、このスライドラッチ錠は、台座２０がラッチ４０をスライド方向に案内するガイド溝２２を有し、ラッチ４０がガイド溝２２に案内される噛み合い壁４２を有し、ストッパ８０がロック位置にあるときに噛み合い壁４２とスライド方向に対向し、かつロック解除位置にあるときに噛み合い壁４２の通り道８２を形成するロック部８１を有するので、ラッチ案内構造（２２，４２）を利用してストッパ８０によるラッチ４０のスライド制限を行うことができる。
【００４６】
また、このスライドラッチ錠は、ドア１０の室外側に取り付けられる表示枠６０を備え、表示枠６０が回転軸５０の回転運動に連動する表示部６３を収容しており、ラッチ４０が施錠位置に停止する状態では、表示部６３が表示枠６０の窓６４に使用表示面６５を表示し、ラッチが内開き用解錠位置と外開き用解錠位置のいずれに停止する状態でも、表示部６３が窓６４に不使用表示面６６を表示するので、常閉型のドア１０に使用される場合でも、施錠中か否かを室外に表示することができる。
【００４７】
なお、このスライドラッチ錠では、表示部６３の回転中心を回転軸５０とし、ラック５４とピニオンギヤ５３のギヤ比のみでラッチ４０のスライドストロークと表示部６３の回転角が決まるようにしたが、表示部の回転中心を回転軸と別の回転軸とし、これら両回転軸間に減速機（例えば歯車減速機）を介在させて表示部の複数回転を抑制してもよい。今回開示された実施形態はすべての点で例示であって制限的なものではないと考えられるべきである。したがって、本発明の範囲は上記した説明ではなくて特許請求の範囲によって示され、特許請求の範囲と均等の意味および範囲内でのすべての変更が含まれることが意図される。
【符号の説明】
【００４８】
１０  ドア
２０  台座
２２  ガイド溝
３０  ドア枠
３１  ラッチ受け
４０  ラッチ
４２  噛み合い壁
５０  回転軸
５３  ピニオンギヤ
５４  ラック
５５  非常解錠部
６０  表示枠
６３  表示部
６４  窓
６５  使用表示面
６６  不使用表示面
８０  ストッパ
８１  ロック部
８２  通り道
９０  弾性部材
【図１】
2019206877.tif 000003
【図２】
2019206877.tif 000004
【図３】
2019206877.tif 000005
【図４】
2019206877.tif 000006
【図５】
2019206877.tif 000007
【図６】
2019206877.tif 000008
【図７】
2019206877.tif 000009
【図８】
2019206877.tif 000010
【図９】
2019206877.tif 000011